(57)【要約】【課題】風路内の設けられる弁体の固着を容易に修理することができる。【解決手段】水槽１と、水槽１内に回転可能に設けた回転槽４と、回転槽４を回転駆動する回転槽駆動モータ１０と、回転槽４内に乾燥用空気を導入する循環風路２４と、循環風路２４に送風する送風手段２６と、回動することで循環風路２４を開閉する弁体２９と、弁体２９を駆動する弁駆動モータ３０と、弁体２９と弁駆動モータ３０とを接続するシャフト３１と、を備え、シャフト３１は、循環風路２４外側に突出部３１ａを設けたものである。【選択図】図３
2015051178.tif 000002
【特許請求の範囲】
【請求項１】
水槽と、前記水槽内に回転可能に設けた回転槽と、前記回転槽を回転駆動する回転槽駆動モータと、前記回転槽内に乾燥用空気を導入する循環風路と、前記循環風路に送風する送風手段と、前記循環風路を開閉する弁体と、前記弁体を駆動する弁駆動モータと、前記弁体と前記弁駆動モータとを接続するシャフトと、を備え、前記シャフトには、前記循環風路の外側位置に前記シャフトの径方向に突出する突出部を形成した洗濯乾燥機。
【請求項２】
突出部の回動範囲に対して所定の隙間を設けて配設される停止壁を設けた請求項１に記載の洗濯乾燥機。
【請求項３】
突出部はシャフトの回転中心から下方に突出し、前記突出部の上方には、前記シャフト及び前記突出部を覆うふた部を設けた請求項１もしくは２に記載の洗濯乾燥機。
【請求項４】
ふた部は、循環風路外壁と一体的に形成される請求項３に記載の洗濯乾燥機。
【発明の詳細な説明】
【技術分野】
【０００１】
本発明は、衣類等の洗濯および乾燥を行う洗濯乾燥機に関するものである。
【背景技術】
【０００２】
従来、この種の洗濯乾燥機は、衣類等の洗濯物を回転槽内で洗い、すすぎ、脱水の一連の工程から構成される洗濯、および、洗った洗濯物を続けて乾燥させることができるものであり、乾燥用の温風を循環させる循環風路が構成されている。
【０００３】
乾燥工程では、送風手段によって循環風路から回転槽内に乾燥した温風を吹き込み、回転槽内の衣類と温風とを接触させて、衣類を乾燥させる。洗濯工程では給水手段により水槽内に水および洗剤を供給し、回転槽を回転駆動することで衣類を回転方向に持ち上げ、回転槽の上方から落下することによる、叩き洗いを所定時間繰り返し、衣類を洗浄している。洗濯工程中に泡立った洗濯水が、送風手段などに到達しないように回動自在の弁体を設け、洗濯工程時は循環風路を閉鎖し、乾燥工程中は開放する構成が考えられている。（例えば、特許文献１参照）。
【０００４】
図９は、特許文献１に記載された従来の洗濯乾燥機の構成を示すものである。図９において、筐体５１内に水槽５２が弾性支持され、水槽５２内に略円筒状の回転槽５３が回転可能に設けられている。回転槽５３は、水槽５２の後面外部に取り付けたモータ５４によって回転駆動される。回転槽５３の周側面に多数の孔５５を設けて水槽５２と連通している。回転槽５３は、洗濯時は洗濯室として機能し、乾燥時は乾燥室として機能する。
【０００５】
筐体５１内の上部に送風手段５６が配設され、乾燥運転時に、循環風路５７を通して回転槽５３内に送風する。また、循環風路５７内には、乾燥用空気を除湿する除湿手段６０と、除湿した乾燥用空気を加熱する加熱手段６１、乾燥運転時に、衣類等から発生したリントを捕捉する乾燥フィルタ６２と、を送風手段５６の風上側に配設している。
【０００６】
循環風路５７は水槽５２の上方に設けた排気口５８と、回転槽後方に設けた送風口５９と、循環風路５７を開閉する弁体６３と、を有している。乾燥工程時、弁体６３は風路開放側に位置するが、洗濯工程時に弁体６３で風路を閉鎖することで、洗濯工程で発生した泡が送風手段５６や加熱手段６１等に浸入しないようにしている。
【０００７】
また、図１０、図１１は、従来の風路内に設けた弁体の具体構成を示すものである。循環風路５７は、第一の送風経路６４と、第二の送風経路６５と、第一の送風経路６４と第二の送風経路６５を選択的に切り換える切換手段６６とを有しており、切換手段６６は、回転自在に支承した弁体６３と、循環風路５７に取り付けられ弁体６３を回転する弁駆動モータ６７から構成されている。弁駆動モータ６７を循環風路５７外部に構成することで容易に弁駆動モータ６７の取り付け、取り外しができ、切換手段６６の組立および弁駆動モータ６７交換時の作業性を改良している（例えば、特許文献２参照）。
【先行技術文献】
【特許文献】
【０００８】
【特許文献１】特開２００８−２５３５８９号公報
【特許文献２】特開平９−３１３７８９号公報
【発明の概要】
【発明が解決しようとする課題】
【０００９】
しかしながら、洗濯時に大量の泡が発生し、送風口５９から弁体６３まで泡が浸入してきた場合には、弁体６３と風路５７内壁の隙間に洗剤成分が残留するため、長期間にわたって弁体６３を動作させない場合には、洗剤成分が固まって弁体６３と風路５７内壁とが固着し、弁体６３が回動不良を起こすことがある。弁体６３が動作不良を起こした場合、例えば風路５７閉鎖状態で弁体６３が固着すると、回転槽内に送風されないため、乾燥性能の不良が発生する。
【００１０】
前記従来の構成では、弁体の固着を修理するためには、モータを取り外さなければならず、作業が煩雑になり、また、モータと弁体の回動軸の同軸度の管理ができず、弁体の駆動トルクが増加し、再び弁体の動作不良が発生するという課題がある。
【００１１】
本発明は、前記従来の課題を解決するもので、容易に弁体の固着を修理することができる洗濯乾燥機を提供することを目的とする。
【課題を解決するための手段】
【００１２】
前記従来の課題を解決するために、本発明の洗濯機は、水槽と、水槽内に回転可能に設けた回転槽と、回転槽を回転駆動する回転槽駆動モータと、回転槽内に乾燥用空気を導入する循環風路と、循環風路に送風する送風手段と、回動することで循環風路を開閉する弁体と、弁体を駆動する弁駆動モータと、弁体と弁駆動モータとを接続するシャフトと、を備え、シャフトは、循環風路外側に突出部を設けたものである。
【００１３】
これによって、弁体が循環風路内壁面に固着し、動作不良となった場合でも、循環風路を分解することなく、突出部を利用して外部から弁駆動モータによるトルク以上のトルクを弁体に与えることができるため、容易に弁の固着を修理することができる。
【発明の効果】
【００１４】
本発明の衣類洗濯機は、風路の外部からモータ以上のトルクを弁体に与えることができるため、容易に弁体の固着を修理することができる。
【図面の簡単な説明】
【００１５】
【図１】本発明の実施の形態１における洗濯乾燥機の構成図
【図２】同洗濯乾燥機のシステム系統図
【図３】同洗濯乾燥機の要部側面図
【図４】同洗濯乾燥機の図３の要部拡大図
【図５】同洗濯乾燥機の図４のＡ―Ａ断面図であり、（ａ）は弁体が風路を閉鎖した状態を示す要部断面図、（ｂ）は弁体が風路を開放した状態を示す要部断面図
【図６】同洗濯乾燥機の他の構成図
【図７】同洗濯乾燥機の他の要部側面図
【図８】本発明の実施の形態２における洗濯乾燥機の開閉機構の要部側面図
【図９】従来の洗濯乾燥機の構成図
【図１０】従来の別の洗濯乾燥機の要部断面図
【図１１】同洗濯乾燥機の側面図
【発明を実施するための形態】
【００１６】
第１の発明は、水槽と、水槽内に回転可能に設けた回転槽と、回転槽を回転駆動する回転槽駆動モータと、回転槽内に乾燥用空気を導入する循環風路と、循環風路に送風する送風手段と、回動することで循環風路を開閉する弁体と、弁体を駆動する弁駆動モータと、弁体と弁駆動モータとを接続するシャフトと、を備え、シャフトには、循環風路の外側位置にシャフトの径方向に突出する突出部を設けたことにより、弁体が循環風路に固着し動作不良となっても、循環風路を分解することなく、外部から弁駆動モータ以上のトルクを
弁体に与えることができるため、容易に弁体の固着を修理することができる。
【００１７】
第２の発明は、特に第１の発明において、突出部の回動範囲に対して、突出部と所定の隙間を設けて停止壁を設けることで、修理作業者は突出部の回動範囲を超えてシャフトを回動することができないため、修理時の弁駆動モータ等の破損を防ぐことができ、より作業性が向上する。
【００１８】
第３の発明は、特に第１と第２の発明において、突出部は、シャフトの回動軸から下方に突出し、シャフトの上方には、シャフト尾及び突出部を覆う略円弧状のふた部を設けることで、突出部への汚れの堆積や水の付着を防ぎ、より作業性が向上する。
【００１９】
第４の発明は、特に第３の発明において、ふた部は、循環風路外壁と一体的に形成することで、簡易な構成で確実にシャフトへの汚れなどの堆積を防ぐことができる。
【００２０】
以下、本発明の実施の形態について、図面を参照しながら説明する。なお、本実施の形態によって本発明が限定されるものではない。
【００２１】
（実施の形態１）
図１は、本発明の第１の実施の形態における洗濯乾燥機の構成図、図２は、同洗濯乾燥機のシステム系統図、図３は、同洗濯乾燥機の要部を示した側面図、図４は、図３の要部拡大図、図５は、図４のＡ−Ａ断面図であり、（ａ）は弁体が風路を閉鎖した状態を示す要部断面図、（ｂ）は弁体が風路を開放した状態を示す要部断面図、図６は他の洗濯乾燥機の構成図、図７は同洗濯乾燥機の要部を示した側面図である。
【００２２】
図１〜図５において、水槽１は、洗濯乾燥機の筐体２の内部で複数のサスペンション機構３により弾性的に支持されている。回転槽４は、正面側に洗濯物５を出し入れする投入口６を有し、略有底筒状に構成して水槽１内に配設されている。回転槽４は、回転軸４ａにより回転可能に支持され、衣類等の洗濯物５を収容する。
【００２３】
回転槽４の周側壁７には全周に亘って多数の孔８を設け、回転槽４の周側壁７の内方には、洗濯物５を回転槽４の回転方向へ持ち上げるための撹拌バッフル９を備えている。水槽１と回転槽４と回転軸４ａは、水平に対して角度θ（例えば、１０〜２０°）で前上がりに傾けて設けられている。
【００２４】
また、回転槽４の背面には、回転軸４ａとの強度を増すため、回転軸支持部４ｂが設けられている。回転軸支持部４ｂは、乾燥工程中に回転槽４背面から回転槽４内に気流を通過させるため、羽根形状に構成されており、回転軸４ａを中心として放射状に複数形成している。
【００２５】
水槽１の後面側の外部には、回転槽４を回転駆動する回転槽駆動モータ１０が設けてあり、回転槽４を正逆回転させるようになっている。回転槽駆動モータ１０は、ブラシレス直流モータ等で構成され、インバータ制御によって回転速度が自在に変化できるようにしている。
【００２６】
筐体２の前面には、投入口６を開閉する扉体１１が設けられている。投入口６と対向する水槽１の開口部１ａは、伸縮自在な可撓性のパッキン１２によって筐体２と気密に連結されている。扉体１１には、外から回転槽４の内部が見えるように透明の窓が設けられている。
【００２７】
扉体１１を閉じると、水槽１の開口部１ａに設けられたパッキン１２が扉体１１の内面
に密接し、水槽１内は水密、気密空間になって、洗濯、すすぎ、脱水、乾燥の各工程を実行する際に、開口部１ａから水や空気が外部に漏れない状態にしている。
【００２８】
筐体２内には、給水弁（給水手段）１３が取り付けられ、給水弁１３には、洗剤ケース（図示せず）を介して水槽１に連通する給水経路１４が接続されている。給水弁１３を開閉することにより、水槽１内への水道水の給水と停止をおこなうことができる。
【００２９】
また、水槽１の底部には、排水孔１５が設けられている。排水孔１５には、排水経路１６が接続されており、排水弁（排水手段）１７が設けられている。排水弁１７を開閉することにより、水槽１内の洗濯水の排水と停止をおこなうことができる。
【００３０】
排水経路１６には、水槽１の背面下端近傍にエアートラップ１８を設けており、このエアートラップ１８には、上方に延びる圧力検知路１９を介して圧力検知路１９の上端部に水槽１内の圧力を検知する圧力検知手段２０を設けている。圧力検知手段２０は、例えば、内部にダイアフラムを有し、圧力が加わることで変形するダイアフラムの変形量から圧力を検知する圧力センサ等で構成し、水槽１に給水された洗濯水の水位を検知する。
【００３１】
また、排水経路１６には、排水弁１７の下流側に略Ｕ字状に形成した排水トラップ２１を設けている。排水トラップ２１は、屈曲自在な蛇腹状の排水ホースによって形成しており、トラップ高さを排水ホースの内径より高くして、水槽１の底部より下方の筐体２内に設けている。
【００３２】
水槽１の上方前部の周側壁７に排気口２２を設け、水槽１の背面部に送風口２３を設けている。排気口２２と送風口２３は、水槽１の外部上方の前面側から後面側に向けて延設した循環風路２４により連通接続されている。
【００３３】
循環風路２４には、乾燥用空気とともに循環風路２４を通過するリントを捕捉する乾燥フィルタ装置２５と、乾燥用空気を回転槽４に供給する送風手段２６と、乾燥用空気の除湿および加熱を行うヒートポンプ装置２７と、循環風路２４の開閉を行う開閉機構２８と、が設けられている。
【００３４】
送風手段２６は、翼形状を有するファン２６ａと、ファン２６ａを回転駆動するファンモータ２６ｂで構成されている。送風手段２６によって送風される乾燥用空気は、送風口２３から回転槽４内に送風される。
【００３５】
開閉機構２８は、循環風路２４内壁に一端が支承された回動軸２９ａと回動軸２９ａと連結した板状のプレート部２９ｂとから構成される弁体２９と、出力軸３０ａが回動軸２９ａと同軸上になるよう循環風路２４外壁に固定される弁駆動モータ３０と、弁体２９の回動軸２９ａと弁駆動モータ３０の出力軸３０ａとを接続する円柱形状のシャフト３１から構成される。シャフト３１は、循環風路２４に設けられた開口孔２４ａを通り、回動軸２９ａと嵌合する。開口孔２４ａ周縁とシャフト３１との間には、循環風路２４とシャフト３１とをシールするためのＯリングなどのパッキン３１ｂが配設されている。
【００３６】
弁体２９は、弁駆動モータ３０が駆動することで、シャフト３１を介して弁体２９に動力が与えられ、循環風路２４内壁に当接することで回動が停止する。循環風路２４の開放と、閉鎖とは、弁駆動モータ３０を正逆回転させることで切り換える。
【００３７】
シャフト３１と弁駆動モータ３０、および、シャフト３１と回動軸２９ａは、Ｄカットなどの形状により嵌合しており、空転することなく回転することができる。
【００３８】
シャフト３１には、循環風路２４外部位置に、軸心から径方向に向かって突出する突出部３１ａを形成しており、例えば、修理作業者が、突出部３１ａを把持して手動で回動させることによって弁体２９を回動させることができる。
【００３９】
突出部３１ａは、シャフト３１に一体に形成してもよく、シャフト３１とは別体に形成してシャフト３１に対して突出部３１ａが回動しないように固着する構成であってもよい。また、突出部３１ａの形状も、突出部３１ａを手動操作可能な形状であればよく、特に限定するものではない。また、突出部３１ａは、例えば、シャフト３１に対して相対向する位置に一対形成するなど、シャフト３１の径方向に複数形成する構成としてもよい。
【００４０】
循環風路２４は、内部に弁体２９を装着する作業性等を考慮して、二つ以上の部品から構成され、ネジなどで分解可能に固定される。
【００４１】
回転槽４の孔８から水槽１内に排出される乾燥用空気は、図１の矢印イで示すように、排気口２２から循環風路２４に流入し、乾燥フィルタ装置２５、ヒートポンプ装置２７、送風手段２６、送風口２３を経て、回転槽４に循環する構成になっている。
【００４２】
ヒートポンプ装置２７は、冷媒を圧縮する圧縮機３２と、圧縮後の高温高圧の冷媒の熱を放熱する放熱器（加熱手段）３３と、高圧の冷媒の圧力を減圧するためのキャピラリーチューブからなる絞り手段３４と、減圧されて低圧となった冷媒が周囲から熱を奪う吸熱器（除湿手段）３５を冷媒が循環するように管路３６で連結している。
【００４３】
送風手段２６により送風される乾燥用空気を循環風路２４に設けた吸熱器３５で冷却除湿し、放熱器３３で加熱して送風口２３から回転槽４へ供給し、排気口２２から循環風路２４に流入して循環する。
【００４４】
また、循環風路２４は、回転槽４から流出した乾燥用空気の一部を循環風路２４外へ排出可能な排出口３７を有し、排出口３７は、排気弁３７ａによって開閉自在に構成している。排出口３７と吸熱器３５の間に、循環風路２４内に外気を導入可能な吸気口３８を有し、吸気口３８は、吸気弁３８ａによって開閉自在に構成している。
【００４５】
循環風路２４の排出口３７と吸気口３８の間には、乾燥用空気とともに循環風路２４を通過するリントを捕捉する乾燥フィルタ装置２５が配設されている。
【００４６】
制御手段４０は、筐体２内の下方前部に配設され、回転槽駆動モータ１０、給水弁１３、排水弁１７、送風手段２６、ヒートポンプ装置２７、弁駆動モータ３０等を制御するとともに、洗い、すすぎ、脱水、乾燥の各工程を逐次制御する。また、制御手段４０には、水槽１内の圧力および洗濯水の水位を検知する圧力検知手段２０の出力と、回転槽駆動モータ１０の回転数を検知するモータ回転数検知手段１０ａの出力が入力される。
【００４７】
以上のように構成された洗濯乾燥機について、以下その動作、作用を説明する。筐体２の前面上部に設けられた操作表示部４２から、運転コースの選択や各工程の時間を入力することにより、設定内容に基づいて、制御手段４０によって洗濯から乾燥までを一連の動作として実行することができ、また、乾燥工程のみを実行することも任意に選択することができる。
【００４８】
洗濯を行うときは、扉体１１を開いて回転槽４内に洗濯物５を投入し、操作表示部４２から運転コース等を指示入力して運転を開始することにより、給水経路１４から水槽１内に水および洗剤が供給され、回転槽駆動モータ１０により回転槽４が回転駆動されて、洗濯工程が開始される。
【００４９】
回転槽４が所定の速度（例えば、５０ｒｐｍ）で回転することにより、洗濯物５が内周面の複数箇所に設けられた撹拌バッフル９によって回転方向に持ち上げられ、回転槽４内の上方から落下させることによる、叩き洗いが所定時間繰り返されることにより洗濯が行われる。
【００５０】
洗濯工程の後、すすぎ工程、脱水工程が実行されることにより洗濯は完了する。すすぎ工程は、まず、排水弁１７を開放し、前工程で用いた洗濯水を排水する排水工程、回転槽４を高速回転（例えば、９００ｒｐｍ）することで、洗濯物５に含まれる汚れや洗剤などを水とともに脱水する中間脱水工程、給水弁１３を開放し水槽１に新たに水を供給する給水工程、回転槽４を所定の速度（例えば、５０ｒｐｍ）で回転し、洗濯物５を攪拌するすすぎ工程を順次行う。
【００５１】
すすぎ工程を所定回数行った後、前工程の洗濯水を排水弁１７の開放により排水する排水工程、回転槽４を高速回転（例えば、９００〜１７００ｒｐｍ）させ、洗濯物５に含まれる水分や洗剤分を脱水する本脱水工程からなる脱水工程を行う。
【００５２】
洗濯工程において、衣類の汚れに対して投入した洗剤量が多い場合などに、洗濯水の泡立ちが多くなる。泡立ちが多い場合、送風口２３から循環風路２４を経て送風手段２６等に泡が到達する恐れがあるため、洗濯工程中は、弁駆動モータ３０を動作させることにより弁体２９は風路を閉鎖する（図５（ａ））。しかし、弁体２９まで泡が到達するため、循環風路２４と弁体２９との間に洗剤成分が付着する。洗濯工程が終了し、回転槽４内の洗浄水が排水されると、泡も排出されるが、洗剤成分は、粘性が高く、弁体２９に一部の泡が残留するため、そのまま長期間使用されない場合などには、洗剤成分が固まり弁体２９が循環風路２４内壁と固着する場合がある。
【００５３】
本発明では、弁体２９の回動軸２９ａと連結したシャフト３１は、循環風路２４外部に突出部３１ａを設けているため、循環風路２４の外部から弁駆動モータ３０以上のトルクを弁体２９に与えることができるため、弁駆動モータ３０を取り外したり、循環風路２４を分解することなく、容易に弁体２９と循環風路２４内壁面との固着を修理することができる。
【００５４】
洗濯工程から乾燥工程までを一貫して実行する運転コースを選択入力した場合は、洗濯工程が完了すると、制御手段４０は、洗濯工程に続いて乾燥工程を実行する。また、濡れた衣類等を乾燥させる場合は、乾燥工程のみを実行することができる。
【００５５】
乾燥工程においては、弁駆動モータ３０を閉鎖時とは逆方向に動作させることで、弁体２９を開放側（図５（ｂ））に回動させ、送風手段２６により回転槽４内に送風することができる。
【００５６】
乾燥工程においては、回転槽４内に脱水を終えた洗濯物５あるいは濡れた衣類（以下、衣類と称する）を収容して乾燥工程を実行すると、乾燥工程で設定された回転速度で回転槽４を回転して衣類を撹拌するとともに、送風手段２６およびヒートポンプ装置２７が駆動して、回転槽４内への乾燥用空気の送風循環が開始される。
【００５７】
この乾燥工程においては、水槽１は衣類乾燥機における乾燥室と同様の役割を果たす。
【００５８】
ヒートポンプ装置２７は、圧縮機３２の作動により冷媒が圧縮され、この圧力により冷媒は圧縮機３２から管路３６を流れて、放熱器３３、絞り手段３４、吸熱器３５、圧縮機３２を循環する。圧縮された冷媒の熱は、放熱器３３に流入し、放熱器３３内に配設され
た管路３６に設けられたフィンに接する空気に放熱されるので、循環風路２４を流れる乾燥用空気が加熱される。
【００５９】
加熱された乾燥用空気は、送風口２３から回転槽４へ供給され、衣類５から水分を奪って湿った空気となって排気口２２から循環風路２４へ流入される。衣類５の乾燥の進行に伴って衣類５から糸屑などのリントが発生する。排気口２２から流入した乾燥用空気は、乾燥フィルタ装置２５を通過し、空気中に含まれているリントが捕捉される。
【００６０】
乾燥フィルタ装置２５でリントが除去された乾燥用空気は、絞り手段３４により減圧されて低圧となった冷媒が流れる吸熱器３５を通過する際に顕熱と潜熱とが奪われて除湿され、除湿されて乾燥した乾燥用空気は、放熱器３３を通過して加熱される。吸熱器３５にて除湿されることにより生じた結露水は、貯水部（図示せず）に滴下し、排水経路１６を通って機外へ排水される。
【００６１】
放熱器３３で乾燥用空気が加熱される熱量は、圧縮機３２の消費電力相当分と、吸熱器３５で乾燥用空気から吸熱される熱量の和にほぼ等しいため、放熱器３３は、圧縮機３２に入力された電力以上の出力を得て乾燥用空気を加熱することができる。しかしながら、循環風路２４内の乾燥用空気は循環が繰り返されると、乾燥用空気全体が持つ熱量は、圧縮機３２の消費電力相当分から自然放熱された熱量を差し引いた分だけ蓄積し続けることになる。
【００６２】
また、ヒートポンプ装置２７内の冷媒が持つ熱量も増え続け、冷媒の温度および圧力が上昇し、やがて圧縮機３２に過負荷が加わる可能性が生じる。これを回避するために、循環風路２４を流れる乾燥用空気の一部を循環風路２４外へ排気する排出口３７と、外気を循環風路２４内に導入する吸気口３８が設けられている。
【００６３】
制御手段４０は、放熱器３３の入口近傍の管路３６に設けた冷媒温度検知手段４３によって、管路３６を流れる冷媒の温度を検知し、排出口３７と吸気口３８の開閉を制御してヒートポンプ装置２７を安定した状態で動作するようにしている。
【００６４】
以上のように、本実施の形態においては、水槽１と、水槽１内に回転可能に設けた回転槽４と、回転槽４を回転駆動する回転槽駆動モータ１０と、回転槽４内に乾燥用空気を導入する循環風路２４と、循環風路２４に送風する送風手段２６と、回動することで循環風路２４を開閉する弁体２９と、弁体２９を駆動する弁駆動モータ３０と、弁体２９と弁駆動モータ３０とを接続するシャフト３１と、を備え、シャフト３１には、循環風路２４外側に突出部３１ａを設けたことにより、弁体２９が循環風路２４内壁に固着し動作不良となった場合でも、循環風路２４を分解したり、弁駆動モータ３０を取り外すことなく、外部から手動で弁駆動モータ３０以上のトルクを弁体２９に与えることができるため、容易に固着を修理することができる。
【００６５】
なお、ヒートポンプ装置２７の放熱器３３で加熱手段を構成し、吸熱器３５で除湿手段を構成することにより、低い温度で衣類等を乾燥させることができるとともに、少ない消費電力量で所定の乾燥性能を得ることができる。
【００６６】
なお、加熱手段としてヒータを用い、除湿手段として水冷または空冷式の熱交換器を用いた構成であっても、弁体２９の固着修理の作業性を良化する効果に関しては、上記と同様の効果を得ることができる。
【００６７】
なお、図６および図７に示すように、循環風路２４は循環風路２４から分岐する分岐経路２４ｂと、分岐経路２４ｂを経て回転槽４内に送風する第二の送風口２３ａとを有し、
弁体２９が循環風路２４側を閉鎖している場合に送風手段２６を駆動させると、分岐経路２４ｂを経て第二の送風口２３ａから送風される構成としても、弁体２９の風路内壁との固着の修理の作業性を向上する効果に関しては同様の効果を有する。
【００６８】
また、弁駆動モータ３０とシャフト３１との間に減速機構を有し、回動軸２９ａと弁駆動モータ３０の出力軸３０ａが同軸上にない構成でも修理作業性向上に関しては同様の効果を有する。
（実施の形態２）
図８は、本発明の第２の実施の形態における洗濯乾燥機の風路開閉機構の要部側面図である。本実施の形態は、突出部３１ａを下方に突出形成し、突出部３１ａの回動範囲Ｗと所定の隙間ｄを有して配設される停止壁２４ｃを両端に有するふた部２４ｄを、シャフト３１上方に略円弧形状に設けたものである。
【００６９】
実施の形態１と同一部品には、同一の符号を付して説明を省略する。
【００７０】
循環風路２４外壁には、シャフト３１の上方を覆うように構成される略円弧状のふた部２４ｄを有し、ふた部２４ｄの両端に形成した停止壁２４ｃは、突出部３１ａの回動範囲Ｗと所定の隙間ｄ（例えば１ｍｍ）を有する。これによって、シャフト３１の回転範囲が制限されるため、修理作業者が誤ってシャフト３１の回動範囲Ｗを大きく超えてシャフト３１を回転させることがない。
【００７１】
シャフト３１は、弁体２９と循環風路２４内壁面との接触により回動範囲Ｗが決まるため、その範囲以上にシャフト３１を回動させると、シャフト３１や回動軸２９ａにねじり応力が働き、シャフト３１や弁体２９が破損する虞がある。本実施の形態２は、ふた部２４ｄを形成することにより、シャフト３１や弁体２９の破損を抑制することができる。また、突出部３１ａの回動範囲Ｗと停止壁２４ｃとの間には、隙間ｄを設けているので、弁体２９が循環風路２４内壁面と接触するよりも先に突出部３１ａが停止壁２４ｃに当接するため、弁体２９の回転を停止させることがなく、安定して弁体２９を回動させることができる。また、シャフト３１上方を覆うふた部２４ｄを有するため、シャフト３１部への汚れの堆積などによる作業性悪化や動作不良を防止することができる。
【産業上の利用可能性】
【００７２】
以上のように、本発明にかかる洗濯機は、風路内に設けられる弁体と循環風路内壁面との固着時に、弁体の回動を修理作業者が風路外部から手動で行い固着を修理できるため、モータの取り外しなどの煩雑な作業を必要とすることがなく、修理作業が簡易になるので、洗濯機として有用である。
【符号の説明】
【００７３】
１  水槽
４  回転槽
１０  回転槽駆動モータ
２４  循環風路
２６  送風手段
２９  弁体
３０  弁駆動モータ
３１  シャフト
３１ａ  突出部
【図１】
2015051178.tif 000003
【図２】
2015051178.tif 000004
【図３】
2015051178.tif 000005
【図４】
2015051178.tif 000006
【図５】
2015051178.tif 000007
【図６】
2015051178.tif 000008
【図７】
2015051178.tif 000009
【図８】
2015051178.tif 000010
【図９】
2015051178.tif 000011
【図１０】
2015051178.tif 000012
【図１１】
2015051178.tif 000013